(57)【要約】【課題】貸出単位金額に対して貸し出される遊技媒体数が調整される場合に、遊技媒体の単価の丸め誤差による影響を低減すること。【解決手段】演算部３０５は、交換玉数を基準玉数で除算し、得られる商を無誤差金額算出部３０７へ出力し、得られる剰余を有誤差金額算出部３０６へ出力する。有誤差金額算出部３０６は、演算部３０５から出力される剰余に玉の税込単価を乗算して、剰余分の玉数に相当し、丸め誤差を含む有誤差金額を算出する。無誤差金額算出部３０７は、演算部３０５から出力される商に基準金額を乗算して、交換玉数から剰余分を除いた玉数に相当し、丸め誤差を含まない無誤差金額を算出する。景品交換処理部３０８は、有誤差金額および無誤差金額を合計し、合計金額に対する景品交換処理を行う。【選択図】        図２
2008086433.tif 000002
【特許請求の範囲】
【請求項１】
遊技媒体と景品の交換を管理する景品管理装置であって、
景品交換対象の交換遊技媒体数を取得する取得手段と、
前記取得手段によって取得された交換遊技媒体数の一部を遊技媒体貸出時における貸出遊技媒体数に対する貸出金額と比率が等しい無誤差金額に換算する換算手段と、
前記換算手段によって換算された無誤差金額を含み交換遊技媒体数に相当する金額に対して景品交換処理を行う景品交換処理手段と
を有することを特徴とする景品管理装置。
【請求項２】
前記換算手段は、
遊技媒体貸出時における貸出遊技媒体数および貸出金額と比率が等しい基準遊技媒体数および基準金額を用いて、交換遊技媒体数のうち基準遊技媒体数の倍数に相当する分を基準金額の倍数である無誤差金額に換算することを特徴とする請求項１記載の景品管理装置。
【請求項３】
前記換算手段は、
交換遊技媒体数を基準遊技媒体数で除算する演算手段と、
前記演算手段によって得られる商と基準金額とを乗算して無誤差金額を算出する無誤差金額算出手段と
を含むことを特徴とする請求項２記載の景品管理装置。
【請求項４】
前記演算手段によって得られる剰余と丸め誤差を含む遊技媒体の単価とを乗算して、前記換算手段によって無誤差金額に換算されない残りの交換遊技媒体数に相当する有誤差金額を算出する有誤差金額算出手段をさらに有することを特徴とする請求項３記載の景品管理装置。
【請求項５】
前記演算手段によって得られる剰余を遊技客ごとの識別情報に対応付けて累積記憶する記憶手段をさらに有し、
前記有誤差金額算出手段は、
前記記憶手段に記憶された遊技客ごとの剰余の累積が基準遊技媒体数に等しくなるたびに、この基準遊技媒体数の金額が基準金額に等しくなるように有誤差金額を調整することを特徴とする請求項４記載の景品管理装置。
【請求項６】
遊技媒体と景品の交換を管理する景品管理装置であって、
景品交換対象の交換遊技媒体数を取得する取得手段と、
前記取得手段によって取得された交換遊技媒体数を遊技媒体貸出時における貸出遊技媒体数と貸出金額との対応関係から求められる基準遊技媒体数で除算する演算手段と、
前記演算手段によって得られる商と基準遊技媒体数に等価の基準金額とを乗算して無誤差金額を算出する第１算出手段と、
前記演算手段によって得られる剰余と丸め誤差を含む遊技媒体の単価とを乗算して有誤差金額を算出する第２算出手段と、
前記第１算出手段によって算出された無誤差金額および前記第２算出手段によって算出された有誤差金額の合計金額に対して景品交換処理を行う景品交換処理手段と
を有することを特徴とする景品管理装置。
【請求項７】
遊技媒体と景品の交換を管理する景品管理システムであって、
景品交換対象の交換遊技媒体数を取得する取得手段と、
前記取得手段によって取得された交換遊技媒体数の一部を遊技媒体貸出時における貸出遊技媒体数に対する貸出金額と比率が等しい無誤差金額に換算する換算手段と、
前記換算手段によって換算された無誤差金額を含み交換遊技媒体数に相当する金額に対して景品交換処理を行う景品交換処理手段と
を有することを特徴とする景品管理システム。
【請求項８】
遊技媒体と景品の交換する景品交換方法であって、
景品交換対象の交換遊技媒体数を取得する取得工程と、
前記取得工程にて取得された交換遊技媒体数の一部を遊技媒体貸出時における貸出遊技媒体数に対する貸出金額と比率が等しい無誤差金額に換算する換算工程と、
前記換算工程にて換算された無誤差金額を含み交換遊技媒体数に相当する金額に対して景品交換処理を行う景品交換処理工程と
を有することを特徴とする景品交換方法。
【発明の詳細な説明】
【技術分野】
【０００１】
本発明は、遊技媒体と景品の交換を管理する景品管理装置、景品管理システム、および景品交換方法に関し、特に、貸出単位金額に対して貸し出される遊技媒体数が調整される場合に、遊技媒体の単価の丸め誤差による影響を低減することができる景品管理装置、景品管理システム、および景品交換方法に関する。
【背景技術】
【０００２】
現在、例えばパチンコ店やパチスロ店などの遊技店においては、玉やメダルなどの遊技媒体を用いた遊技に係る消費税を遊技店が営業利益の中から負担するのが一般的である。しかし、将来的に消費税率が上昇すると、遊技店の負担が大きくなることから、遊技客が自らの遊技に係る消費税を負担するようになると考えられる。
【０００３】
このとき、遊技店内で流通する貨幣の金種が限定されていることなどから、例えば特許文献１に記載されているように、遊技媒体の貸し出し時に貸し出される遊技媒体数を調整して遊技客から消費税を徴収するのが現実的である。すなわち、例えば現在１００円でパチンコに用いられる玉が２５玉貸し出されるところを、１００円で２４玉貸し出されるようにすることにより、玉の税込単価を４円から４．１７（≒１００／２４）円にすることが考えられる。こうすることにより、遊技店では消費税の負担分の一部を遊技客から徴収することができ、営業利益の減少を抑制することができる。
【０００４】
消費税分を遊技客が負担する場合、遊技媒体が貸し出される際の税込単価が現状と比べて上昇することになるため、景品カウンターにおける景品交換時にも、遊技媒体の単価が上昇することになる。すなわち、現在は１玉につき４円相当の景品と交換されるのに対し、上述の調整後には、１玉につき４．１７円相当の景品と交換されるようになる。
【０００５】
【特許文献１】特開２００６−１５８６３５号公報
【発明の開示】
【発明が解決しようとする課題】
【０００６】
しかしながら、貸し出される遊技媒体数を調整して遊技客から消費税を徴収する場合には、消費税率や遊技媒体の貸し出し時に単位となる金額などによっては、遊技媒体の税込単価が貸し出し時と景品交換時とで異なることがあるという問題がある。すなわち、例えば上述したように１００円で２４玉が貸し出される場合、貸し出し時の玉の税込単価は、正確には４．１６６・・・円であるにも拘らず、金額が循環小数では扱い難いため景品交換時には玉の税込単価が４．１７円とされ、２４玉で１００．０８（＝４．１７×２４）円相当の景品と交換されることになってしまう。
【０００７】
したがって、遊技店は、１００円で遊技客へ貸し出す遊技媒体を１００．０８円相当の景品に交換することになり、玉の税込単価の丸め誤差分だけ利益が減少することになる。また、反対に、景品交換時の玉の税込単価が丸め誤差によって貸し出し時の正確な玉の税込単価より小さくなる場合には、貸し出された玉をそのまま景品交換しても、遊技客が貸し出し時に支払った金額より少ない金額相当の景品しか得ることができず、サービスの低下を招いてしまう。同様の問題は、パチスロに用いられるメダルにおいても発生する。
【０００８】
本発明はかかる点に鑑みてなされたものであり、貸出単位金額に対して貸し出される遊技媒体数が調整される場合に、遊技媒体の単価の丸め誤差による影響を低減することができる景品管理装置、景品管理システム、および景品交換方法を提供することを目的とする。
【課題を解決するための手段】
【０００９】
上記課題を解決するために、本発明は、遊技媒体と景品の交換を管理する景品管理装置であって、景品交換対象の交換遊技媒体数を取得する取得手段と、前記取得手段によって取得された交換遊技媒体数の一部を遊技媒体貸出時における貸出遊技媒体数に対する貸出金額と比率が等しい無誤差金額に換算する換算手段と、前記換算手段によって換算された無誤差金額を含み交換遊技媒体数に相当する金額に対して景品交換処理を行う景品交換処理手段とを有することを特徴とする。
【００１０】
また、本発明は、上記発明において、前記換算手段は、遊技媒体貸出時における貸出遊技媒体数および貸出金額と比率が等しい基準遊技媒体数および基準金額を用いて、交換遊技媒体数のうち基準遊技媒体数の倍数に相当する分を基準金額の倍数である無誤差金額に換算することを特徴とする。
【００１１】
また、本発明は、上記発明において、前記換算手段は、交換遊技媒体数を基準遊技媒体数で除算する演算手段と、前記演算手段によって得られる商と基準金額とを乗算して無誤差金額を算出する無誤差金額算出手段とを含むことを特徴とする。
【００１２】
また、本発明は、上記発明において、前記演算手段によって得られる剰余と丸め誤差を含む遊技媒体の単価とを乗算して、前記換算手段によって無誤差金額に換算されない残りの交換遊技媒体数に相当する有誤差金額を算出する有誤差金額算出手段をさらに有することを特徴とする。
【００１３】
また、本発明は、上記発明において、前記演算手段によって得られる剰余を遊技客ごとの識別情報に対応付けて累積記憶する記憶手段をさらに有し、前記有誤差金額算出手段は、前記記憶手段に記憶された遊技客ごとの剰余の累積が基準遊技媒体数に等しくなるたびに、この基準遊技媒体数の金額が基準金額に等しくなるように有誤差金額を調整することを特徴とする。
【００１４】
また、本発明は、遊技媒体と景品の交換を管理する景品管理装置であって、景品交換対象の交換遊技媒体数を取得する取得手段と、前記取得手段によって取得された交換遊技媒体数を遊技媒体貸出時における貸出遊技媒体数と貸出金額との対応関係から求められる基準遊技媒体数で除算する演算手段と、前記演算手段によって得られる商と基準遊技媒体数に等価の基準金額とを乗算して無誤差金額を算出する第１算出手段と、前記演算手段によって得られる剰余と丸め誤差を含む遊技媒体の単価とを乗算して有誤差金額を算出する第２算出手段と、前記第１算出手段によって算出された無誤差金額および前記第２算出手段によって算出された有誤差金額の合計金額に対して景品交換処理を行う景品交換処理手段とを有することを特徴とする。
【００１５】
また、本発明は、遊技媒体と景品の交換を管理する景品管理システムであって、景品交換対象の交換遊技媒体数を取得する取得手段と、前記取得手段によって取得された交換遊技媒体数の一部を遊技媒体貸出時における貸出遊技媒体数に対する貸出金額と比率が等しい無誤差金額に換算する換算手段と、前記換算手段によって換算された無誤差金額を含み交換遊技媒体数に相当する金額に対して景品交換処理を行う景品交換処理手段とを有することを特徴とする。
【００１６】
また、本発明は、遊技媒体と景品の交換する景品交換方法であって、景品交換対象の交換遊技媒体数を取得する取得工程と、前記取得工程にて取得された交換遊技媒体数の一部を遊技媒体貸出時における貸出遊技媒体数に対する貸出金額と比率が等しい無誤差金額に換算する換算工程と、前記換算工程にて換算された無誤差金額を含み交換遊技媒体数に相当する金額に対して景品交換処理を行う景品交換処理工程とを有することを特徴とする。
【発明の効果】
【００１７】
本発明によれば、景品交換対象の交換遊技媒体数を取得し、取得された交換遊技媒体数の一部を遊技媒体貸出時における貸出遊技媒体数に対する貸出金額と比率が等しい無誤差金額に換算し、換算された無誤差金額を含み交換遊技媒体数に相当する金額に対して景品交換処理を行う。このため、交換遊技媒体数の一部については遊技媒体の貸出時と同等の価値で景品交換されることになって丸め誤差が生じることがなく、貸出単位金額に対して貸し出される遊技媒体数が調整される場合に、遊技媒体の単価の丸め誤差による影響を低減することができる。
【００１８】
また、本発明によれば、遊技媒体貸出時における貸出遊技媒体数および貸出金額と比率が等しい基準遊技媒体数および基準金額を用いて、交換遊技媒体数のうち基準遊技媒体数の倍数に相当する分を基準金額の倍数である無誤差金額に換算する。このため、交換遊技媒体数を金額に小数点以下の端数が生じない範囲で最大の無誤差金額に換算することができ、遊技媒体の単価の丸め誤差による影響をより低減することができる。
【００１９】
また、本発明によれば、交換遊技媒体数を基準遊技媒体数で除算し、得られる商と基準金額とを乗算して無誤差金額を算出するため、金額に小数点以下の端数が生じない範囲で最大の無誤差金額を確実に求めることができる。
【００２０】
また、本発明によれば、除算によって得られる剰余と丸め誤差を含む遊技媒体の単価とを乗算して、無誤差金額に換算されない残りの交換遊技媒体数に相当する有誤差金額を算出する。このため、無誤差金額に換算されない交換遊技媒体についても金額に換算され、交換遊技媒体全体に対する景品交換を換算金額ベースで実行することができる。
【００２１】
また、本発明によれば、除算によって得られる剰余を遊技客ごとの識別情報に対応付けて累積記憶し、記憶された遊技客ごとの剰余の累積が基準遊技媒体数に等しくなるたびに、この基準遊技媒体数の金額が基準金額に等しくなるように有誤差金額を調整する。このため、毎回の景品交換時には景品交換される金額に丸め誤差が含まれていても、複数回の景品交換を行ううちに、交換遊技媒体数と景品交換される換算金額とが完全に等価になり、さらに丸め誤差の影響を低減することができる。
【００２２】
また、本発明によれば、景品交換対象の交換遊技媒体数を取得し、取得された交換遊技媒体数を遊技媒体貸出時における貸出遊技媒体数と貸出金額との対応関係から求められる基準遊技媒体数で除算し、得られる商と基準遊技媒体数に等価の基準金額とを乗算して無誤差金額を算出し、得られる剰余と丸め誤差を含む遊技媒体の単価とを乗算して有誤差金額を算出し、算出された無誤差金額および算出された有誤差金額の合計金額に対して景品交換処理を行う。このため、交換遊技媒体数のうち基本遊技媒体数の倍数分については遊技媒体の貸出時と等価の金額に換算されて景品交換されることになり、丸め誤差が生じることがなく、貸出単位金額に対して貸し出される遊技媒体数が調整される場合に、遊技媒体の単価の丸め誤差による影響を低減することができる。
【発明を実施するための最良の形態】
【００２３】
以下、本発明の実施の形態について、図面を参照して詳細に説明する。以下においては、主に、パチンコに用いられる玉を遊技媒体とする場合の例について説明するが、パチスロに用いられるメダルを遊技媒体とする場合などにも同様に本発明を適用することができる。
【００２４】
（実施の形態１）
図１は、本発明の実施の形態１に係る遊技店の概略構成を示す図である。図１に示す遊技店においては、会員管理ターミナルコントローラ（以下「会員管理Ｔ／Ｃ」と略記する）１０に計数装置２０、景品管理装置３０、および島コントローラ４０が接続されている。そして、島コントローラ４０には、複数の玉貸装置４１が接続されており、各玉貸装置４１には遊技装置４２が併設されている。
【００２５】
会員管理Ｔ／Ｃ１０は、遊技店の会員の会員ＩＤに氏名や生年月日などの属性情報を対応付けて記憶している。また、会員管理Ｔ／Ｃ１０は、各会員が遊技店に預け入れている貯玉または貯メダルなどの遊技媒体数を記憶している。
【００２６】
計数装置２０は、遊技客が投入する玉を計数し、計数結果が記録されたレシートを発行する。レシートには、計数結果の玉数が印字されていても良いし、磁気記憶されていても良い。さらに、レシートには、レシートＩＤのみが記録されており、計数結果は、景品管理装置３０によって参照可能な外部（例えば会員管理Ｔ／Ｃ１０など）にレシートＩＤに対応付けられて記憶されていても良い。
【００２７】
景品管理装置３０は、遊技店の景品カウンターに設置され、遊技媒体の景品交換を管理する。具体的には、景品管理装置３０は、計数装置２０によって発行されるレシートによって特定される玉数および遊技客が遊技店に預け入れている貯玉数の合計のうち、景品交換される玉数に対して交換可能な特殊景品数を算出したり、一般景品との交換処理を行ったりする。このとき、景品管理装置３０は、玉の貸し出し時における金額と玉数の比に等しい基準金額と基準玉数をあらかじめ設定しておき、景品交換される玉数を基準玉数ごとに基準金額へ換算し、丸め誤差の影響を排除した上で景品交換する。また、景品管理装置３０は、景品交換されない分の玉について、遊技店に預け入れる貯玉処理を行う。
【００２８】
島コントローラ４０は、「島」と呼ばれる区域に設置された複数の玉貸装置４１と会員管理Ｔ／Ｃ１０との間のやり取りを中継し、例えば玉貸装置４１に会員カードが受け付けられていれば、会員ＩＤを玉貸装置４１から受信して会員管理Ｔ／Ｃ１０へ送信し、この会員ＩＤに対応する貯玉数を会員管理Ｔ／Ｃ１０から受信して玉貸装置４１へ送信する。
【００２９】
玉貸装置４１は、玉の貸出処理を行う。すなわち、玉貸装置４１は、例えば貨幣やプリペイドカードを受け付けて、これらの価値と等価の玉の貸出処理を行う。また、玉貸装置４１は、会員カードを受け付けた場合には、会員管理Ｔ／Ｃ１０に記憶された貯玉数を上限とした貯玉の貸出処理（再プレイ処理）を行っても良い。遊技装置４２は、玉貸装置４１の貸出処理によって借り受けた玉を用いて遊技客が遊技を行う装置である。
【００３０】
図２は、本実施の形態に係る景品管理装置３０の要部構成を示すブロック図である。図２に示す景品管理装置３０は、会員カード受付部３０１、貯玉数取得部３０２、通信インタフェース部（以下「通信Ｉ／Ｆ部」と略記する）３０３、レシート受付部３０４、演算部３０５、有誤差金額算出部３０６、無誤差金額算出部３０７、景品交換処理部３０８、ユーザインタフェース部（以下「ユーザＩ／Ｆ部」と略記する）３０９、および貯玉処理部３１０を有している。
【００３１】
会員カード受付部３０１は、遊技客の会員カードを受け付け、会員カードに記録されている会員ＩＤを貯玉数取得部３０２へ出力する。
【００３２】
貯玉数取得部３０２は、会員カード受付部３０１から出力される会員ＩＤに対応する貯玉数を通信Ｉ／Ｆ部３０３を介して会員管理Ｔ／Ｃ１０に問い合わせ、会員管理Ｔ／Ｃ１０から通信Ｉ／Ｆ部３０３へ返信される貯玉数を取得する。そして、貯玉数取得部３０２は、取得した貯玉数を演算部３０５へ出力する。
【００３３】
通信Ｉ／Ｆ部３０３は、貯玉数取得部３０２から出力される会員ＩＤを会員管理Ｔ／Ｃ１０へ送信し、会員管理Ｔ／Ｃ１０から返信される貯玉数を受信する。また、通信Ｉ／Ｆ部３０３は、貯玉処理部３１０から貯玉数が通知されると、遊技客の貯玉数を更新するために、会員カード受付部３０１に受け付けられた会員カードの会員ＩＤと貯玉処理部３１０から通知された貯玉数とを会員管理Ｔ／Ｃ１０へ送信する。
【００３４】
レシート受付部３０４は、計数装置２０によって発行されたレシートを受け付け、レシートに記録された玉数を演算部３０５へ出力する。なお、レシート受付部３０４は、レシートにレシートＩＤのみが記録されている場合は、外部の装置（例えば会員管理Ｔ／Ｃ１０など）にレシートＩＤに対応付けて記憶されている玉数を取得し、この玉数を演算部３０５へ出力する。
【００３５】
演算部３０５は、玉の貸し出し時に貸出単位金額に対して貸し出される玉数から基準金額および基準玉数をあらかじめ設定している。すなわち、演算部３０５は、例えば１００円の貸出単位金額に対して２４玉が貸し出される場合、基準金額と基準玉数の比が１００対２４となるように、例えば基準金額を２５円かつ基準玉数を６玉として設定しておく。
【００３６】
また、演算部３０５は、貯玉数取得部３０２から出力される貯玉数とレシート受付部３０４から出力される玉数とを合計し、得られる合計の玉数のうち景品に交換する交換玉数を決定する。具体的には、例えば遊技客が貯玉数を指定する場合には、合計の玉数から指定の貯玉数を減算して交換玉数とする。貯玉数が指定されない場合は、演算部３０５は、合計の玉数をそのまま交換玉数とする。
【００３７】
そして、演算部３０５は、交換玉数を基準玉数で除算し、得られる商を無誤差金額算出部３０７へ出力し、得られる剰余を有誤差金額算出部３０６へ出力する。具体的には、例えば交換玉数が１００玉かつ基準玉数が６玉である場合、演算部３０５は、商の１６（＝１００／６）を無誤差金額算出部３０７へ出力し、剰余の４（＝１００％６、ただし「％」は剰余演算を表す）を有誤差金額算出部３０６へ出力する。
【００３８】
有誤差金額算出部３０６は、演算部３０５から出力される剰余に玉の税込単価を乗算して、剰余分の玉数に相当し、丸め誤差を含む有誤差金額を算出する。具体的には、例えば上述の例ように剰余が４であり、玉の税込単価が４．１７円である場合、有誤差金額算出部３０６は、有誤差金額を１６．６８（＝４．１７×４）円と算出する。
【００３９】
無誤差金額算出部３０７は、演算部３０５から出力される商に基準金額を乗算して、交換玉数から剰余分を除いた玉数に相当し、丸め誤差を含まない無誤差金額を算出する。具体的には、例えば上述の例のように商が１６であり、基準金額が２５円である場合、無誤差金額算出部３０７は、無誤差金額を４００（＝２５×１６）円と算出する。
【００４０】
景品交換処理部３０８は、有誤差金額および無誤差金額を合計し、合計金額に対する景品交換処理を行う。すなわち、景品交換処理部３０８は、交換される特殊景品および一般景品に相当する金額を有誤差金額と無誤差金額との合計金額から減算する。なお、景品交換処理部３０８は、合計金額から交換可能な特殊景品数を算出し、算出された数の特殊景品を実際に発行しても良い。また、景品交換処理部３０８は、交換される特殊景品数や交換されていない分の金額（以下「未交換金額」という）などをユーザＩ／Ｆ部３０９に表示させる。そして、景品交換処理部３０８は、未交換金額について貯玉処理をする旨がユーザＩ／Ｆ部３０９から指示されると、未交換金額を貯玉処理部３１０へ出力する。
【００４１】
ユーザＩ／Ｆ部３０９は、景品交換処理の結果を表示して遊技店の従業員や遊技客に報知したり、従業員や遊技客の操作を受け付けて操作に応じた指示を景品交換処理部３０８に与えたりする。具体的には、ユーザＩ／Ｆ部３０９は、例えばタッチパネルなどを備えており、景品交換処理部３０８によって算出された特殊景品数を表示し、特殊景品および一般景品のいずれにも交換されない未交換金額を貯玉処理するか否かの操作を受け付ける。また、ユーザＩ／Ｆ部３０９は、例えばバーコードリーダなどを備えており、景品交換処理部３０８による一般景品への交換処理時に、遊技客が希望する一般景品のバーコードの入力を受け付け、受け付けられたバーコードに対応する一般景品の金額を景品交換処理部３０８へ通知するようにしても良い。
【００４２】
貯玉処理部３１０は、景品交換処理部３０８から出力される未交換金額を玉数へ換算し、この玉数の貯玉処理を行う。具体的には、貯玉処理部３１０は、未交換金額のうち基準金額の倍数分については基準玉数の倍数分の玉数に換算し、残りの金額については玉の税込単価で除算して得られる玉数に換算する。そして、貯玉処理部３１０は、換算された玉数の合計を貯玉するために、合計玉数を会員カード受付部３０１に受け付けられた会員カードに記録されている会員ＩＤに対応付けて通信Ｉ／Ｆ部３０３から会員管理Ｔ／Ｃ１０へ送信させる。
【００４３】
次いで、上記のように構成された景品管理装置３０による景品交換時の動作について、図３に示すフロー図を参照しながら説明する。
【００４４】
まず、景品管理装置３０の演算部３０５においては、玉の貸し出し時における貸出単位金額と貸し出される玉数とから基準金額Ａと基準玉数Ｂとが設定される（ステップＳ１０１）。すなわち、演算部３０５において、丸め誤差が生じない金額と玉数の比が設定される。したがって、例えば貸出単位金額が１００円で貸し出される玉数が２４玉である場合、金額と玉数の比が２５対６であれば丸め誤差が生じないことから、例えば基準金額Ａが２５円と設定され、基準玉数Ｂが６玉と設定される。このように設定される基準金額Ａおよび基準玉数Ｂは、あらかじめ演算部３０５に保持されている。
【００４５】
そして、遊技客が計数装置２０によって発行されたレシートおよび会員カードを景品カウンターへ持参すると、会員カードが会員カード受付部３０１によって受け付けられ（ステップＳ１０２）、会員カードに記録された会員ＩＤに対応する貯玉数が取得される（ステップＳ１０３）。すなわち、会員ＩＤが会員カード受付部３０１から貯玉数取得部３０２へ出力され、貯玉数取得部３０２によって、会員ＩＤに対応する貯玉数が通信Ｉ／Ｆ部３０３を介して会員管理Ｔ／Ｃ１０へ問い合わせられる。そして、会員ＩＤに対応する貯玉数が会員管理Ｔ／Ｃ１０から通信Ｉ／Ｆ部３０３へ返信され、貯玉数取得部３０２によって取得される。この貯玉数は、演算部３０５へ出力される。
【００４６】
また、計数装置２０によって発行されたレシートは、レシート受付部３０４によって受け付けられ（ステップＳ１０４）、レシートから特定される玉数が演算部３０５へ出力される。レシートから特定される玉数および貯玉数が演算部３０５へ出力されると、演算部３０５によって、これらの玉数が合計され、合計玉数のうち景品に交換される交換玉数Ｘが決定される（ステップＳ１０５）。すなわち、遊技客が貯玉を希望する場合には、遊技客が指定する希望貯玉数が合計玉数から減算され、残った玉数が交換玉数Ｘとなる。なお、遊技客が貯玉を希望しない場合には、合計玉数をそのまま交換玉数Ｘとしても良い。また、貯玉数取得部３０２によって現時点の貯玉数を取得することなく、レシートから特定される玉数のみを交換玉数Ｘとしても良い。
【００４７】
交換玉数Ｘが決定されると、演算部３０５によって、交換玉数Ｘが基準玉数Ｂで除算され、商Ｐと剰余Ｑが得られる（ステップＳ１０６）。そして、商Ｐは、無誤差金額算出部３０７へ出力され、無誤差金額算出部３０７によって、基準金額Ａに商Ｐが乗算され、丸め誤差の影響を受けない無誤差金額が算出される（ステップＳ１０７）。すなわち、基準金額Ａは、基準玉数Ｂが貸し出される際の金額であるため、交換玉数Ｘのうち基準玉数Ｂの倍数の玉については、貸し出しの際の価値と完全に一致する無誤差金額に換算されることになる。具体的に例を挙げると、基準金額Ａが２５円かつ基準玉数Ｂが６玉である場合に、基準玉数Ｂの倍数である６００玉は、丸め誤差を含まない２５００（＝２５×（６００／６））円に換算される。
【００４８】
一方、剰余Ｑは、有誤差金額算出部３０６へ出力され、有誤差金額算出部３０６によって、玉の税込単価に剰余Ｑが乗算され、税込単価に含まれる丸め誤差の影響を受ける有誤差金額が算出される（ステップＳ１０８）。すなわち、剰余Ｑについては、基準玉数Ｂに満たないため、玉の税込単価を乗算することにより、丸め誤差を含む有誤差金額に換算されることになる。具体的に例を挙げると、基準金額Ａが２５円かつ基準玉数Ｂが６玉である場合に、玉の税込単価を４．１７円とすれば、基準玉数Ｂに満たない４玉は、丸め誤差を含む１６．６８（＝４．１７×４）円に換算される。
【００４９】
このようにして、有誤差金額算出部３０６および無誤差金額算出部３０７によって、それぞれ有誤差金額および無誤差金額が算出されると、景品交換処理部３０８によって、これらの有誤差金額および無誤差金額が合計され、合計金額に対する景品交換処理が実行される（ステップＳ１０９）。このとき、合計金額の大部分は無誤差金額によって占められているため、景品交換時における玉の価値が貸し出し時の価値と略同一となり、遊技媒体の単価の丸め誤差による影響を低減することができる。
【００５０】
ここで、玉の貸し出し時と景品交換時における価値の差について具体例を示す。いま、基準金額Ａを２５円、基準玉数Ｂを６玉、玉の税込単価を４．１７円とし、交換玉数Ｘが１６００玉である場合を考える。この例では、１００円で２４玉が貸し出されることになるため、交換玉数Ｘの１６００玉は、貸し出し時には６６６６．６６・・・（＝１６００×１００／２４）円の価値に相当することとなる。
【００５１】
この交換玉数Ｘが従来どおり玉の税込単価を基準として景品交換される場合には、図４−１に示すように、交換玉数Ｘに玉の税込単価が乗算され、６６７２（＝１６００×４．１７）円相当の景品と交換されることになる。これは、貸し出し時の１６００玉の価値よりも大きくなっており、その分だけ遊技店の利益が減少する。
【００５２】
これに対して、図４−２に示すように、交換玉数Ｘのうち基準玉数Ｂの倍数部分については、基準金額Ａの倍数の無誤差金額に換算すると、交換玉数Ｘを基準玉数Ｂで除算した商Ｐは２６６（＝１６００／６）であるため、無誤差金額は６６５０（＝２５×２６６）円となる。さらに、交換玉数Ｘを基準玉数Ｂで除算した場合の剰余Ｑは４（＝１６００％６）であり、この剰余Ｑについてのみ玉の税込単価を乗算して有誤差金額を求めると、有誤差金額は１６．６８（＝４．１７×４）円となる。そして、無誤差金額と有誤差金額の合計金額は６６６６．６８（＝６６５０＋１６．６８）円となり、景品交換時の交換玉数Ｘの価値が貸し出し時の１６００玉の価値に非常に近くなる。
【００５３】
このため、景品交換処理部３０８によって、無誤差金額と有誤差金額の合計金額に対して景品交換処理が行われると、丸め誤差の影響はほとんど無視できる程度となる。なお、景品交換処理部３０８による景品交換処理時には、特殊景品数がユーザＩ／Ｆ部３０９へ表示されたり、遊技客が希望する一般景品の金額がユーザＩ／Ｆ部３０９から通知されたりする。また、ユーザＩ／Ｆ部３０９には、特殊景品および一般景品に交換された分の金額が無誤差金額と有誤差金額の合計金額から減算される過程が表示されるようにしても良い。
【００５４】
そして、景品交換処理が完了すると、特殊景品および一般景品のいずれにも交換されずに残った金額があるか否かが景品交換処理部３０８によって判断される（ステップＳ１１０）。ここで、すべての金額が景品交換されていれば（ステップＳ１１０Ｎｏ）、交換玉数Ｘがすべて景品に交換されて遊技客へ還元されたこととなるため、景品管理装置３０による処理は終了する。また、一部の金額が景品交換されずに残っていれば（ステップＳ１１０Ｙｅｓ）、この残りの金額が貯玉処理部３１０へ出力され、貯玉処理部３１０によって残りの金額に相当する玉の貯玉処理が実行される。ただし、残りの金額に対する貯玉処理は、ユーザＩ／Ｆ部３０９において貯玉処理を実行する旨の操作が行われた場合に限り実行されるようにしても良い。そして、貯玉処理を実行する旨の操作が行われない場合には、残りの金額を玉数に換算し、得られた玉数が記録されたレシートが発行されるなどとしても良い。
【００５５】
貯玉処理部３１０へ景品交換されずに残った金額が出力されると、貯玉処理部３１０によって、残り金額が基準金額Ａによって除算され、商ｐと剰余ｑが得られる（ステップＳ１１１）。そして、基準玉数Ｂに商ｐが乗算され、無誤差金額と同様に丸め誤差を含まない無誤差玉数が求められる（ステップＳ１１２）。また、剰余ｑが玉の税込単価で除算され、小数点以下は四捨五入されることにより、有誤差金額と同様に丸め誤差を含む有誤差玉数が求められる（ステップＳ１１３）。こうして求められた無誤差玉数と有誤差玉数の合計玉数は、景品交換されずに残った金額と略同一の価値の玉数であり、この合計玉数が貯玉されることになる（ステップＳ１１４）。すなわち、合計玉数は、貯玉処理部３１０から通信Ｉ／Ｆ部３０３へ通知され、通信Ｉ／Ｆ部３０３から貯玉数として会員ＩＤとともに会員管理Ｔ／Ｃ１０へ送信される。
【００５６】
これにより、景品交換時に景品交換されずに残った金額があっても、この金額に相当する玉数が正確に算出されて貯玉されるため、遊技店および遊技客のいずれも不当に利益や損害を被ることがない。
【００５７】
以上のように、本実施の形態によれば、景品交換時の交換玉数のうち基準玉数の倍数分については、貸し出し時の価値と完全に同一の金額に換算されるとともに、剰余の玉数については、丸め誤差を含む玉の税込単価が乗算された金額に換算され、これらの合計金額に対して景品交換処理が実行される。このため、景品に交換される遊技媒体の大部分が丸め誤差を含まない価値に相当するものとして扱われることになり、貸し出し時と景品交換時における遊技媒体の価値を略同一にすることができる。結果として、貸出単位金額に対して貸し出される遊技媒体数が調整される場合に遊技媒体の単価に丸め誤差が生じても、遊技媒体の単価の丸め誤差による影響を低減することができる。
【００５８】
（実施の形態２）
本発明の実施の形態２の特徴は、景品交換時に算出される有誤差金額を会員ごとに累積しておき、有誤差金額が基準玉数分の金額に達する際に、有誤差金額に含まれる丸め誤差を相殺する点である。
【００５９】
本実施の形態に係る遊技店の概略構成は、実施の形態１（図１）と同様であるため、その説明を省略する。本実施の形態においては、景品管理装置３０の内部構成が実施の形態１とは異なる。
【００６０】
図５は、本実施の形態に係る景品管理装置３０の要部構成を示すブロック図である。同図において、図２と同じ部分には同じ符号を付し、その説明を省略する。図５に示す景品管理装置３０は、図２に示す景品管理装置３０に有誤差金額記憶部３５１を追加し、有誤差金額算出部３０６を有誤差金額算出部３５２に代えた構成を有している。
【００６１】
有誤差金額記憶部３５１は、景品交換時に有誤差金額算出部３５２によって有誤差金額が算出されると、算出された有誤差金額および有誤差金額の算出に用いられた剰余の玉数を貯玉数取得部３０２から読み出した会員ＩＤに対応付けて累積し記憶する。具体的には、有誤差金額記憶部３５１は、例えば図６に示すように、各会員の会員ＩＤに累積有誤差金額と剰余玉数を対応付けて記憶している。図６においては、玉の税込単価を４．１７円としているため、剰余玉数に４．１７を乗算すると累積有誤差金額となる。
【００６２】
そして、有誤差金額記憶部３５１は、貯玉数取得部３０２によって貯玉数が問い合わせられる際に、会員カード受付部３０１に受け付けられた会員ＩＤに対応する累積有誤差金額および剰余玉数を有誤差金額算出部３５２へ出力する。換言すれば、有誤差金額記憶部３５１は、景品交換の開始時に、景品交換を行う遊技客に対応付けられた累積有誤差金額および剰余玉数を有誤差金額算出部３５２へ出力する。
【００６３】
有誤差金額算出部３５２は、演算部３０５から出力される剰余に有誤差金額記憶部３５１から出力される剰余玉数を加算し、加算結果が基準玉数以上であるか否かを判定する。そして、有誤差金額算出部３５２は、加算結果が基準玉数未満であれば、実施の形態１と同様に、演算部３０５から出力される剰余に玉の税込単価を乗算して有誤差金額を算出する。
【００６４】
また、有誤差金額算出部３５２は、加算結果が基準玉数以上であれば、基準金額から累積有誤差金額を減算して調整金額を求め、有誤差金額記憶部３５１に記憶されている剰余玉数と今回の剰余の加算によって基準玉数に達した分については、基準金額に換算されるようにする。すなわち、基準金額が２５円かつ基準玉数が６玉である場合、例えば図６に示した会員ＩＤ「０００１」に対応付けられた剰余玉数は４玉であるため、今回の剰余のうち２（＝６−４）玉の金額を調整金額として８．３２（＝２５−１６．６８）円とする。こうすることにより、有誤差金額記憶部３５１に記憶された剰余玉数４玉は、累積有誤差金額１６．６８円に換算されて丸め誤差を含んでいたが、今回の剰余のうち２玉が調整金額８．３２円に換算されるため、これらの合計６玉が基準金額である２５円に換算されたことになり、全体としては丸め誤差を含まないこととなる。
【００６５】
次いで、上記のように構成された景品管理装置３０による交換玉数の金額への換算について、図７に示すフロー図を参照しながら説明する。なお、同図において、図３と同じ部分には同じ符号を付し、その詳しい説明を省略する。
【００６６】
本実施の形態においても実施の形態１と同様に、演算部３０５において基準金額Ａおよび基準玉数Ｂが設定される（ステップＳ１０１）。また、レシートから特定される玉数や現時点での貯玉数から交換玉数Ｘが決定される（ステップＳ１０５）。そして、演算部３０５によって、交換玉数Ｘが基準玉数Ｂで除算され、商Ｐと剰余Ｑが得られる（ステップＳ１０６）。そして、商Ｐは、無誤差金額算出部３０７へ出力され、剰余Ｑは、有誤差金額算出部３５２へ出力される。
【００６７】
また、貯玉数取得部３０２による貯玉数取得時には、会員カード受付部３０１から貯玉数取得部３０２へ会員ＩＤが出力されているため、有誤差金額記憶部３５１によって会員ＩＤが読み出され、会員ＩＤに対応して記憶されている累積有誤差金額および剰余玉数Ｃが有誤差金額算出部３５２へ出力される（ステップＳ２０１）。有誤差金額算出部３５２へ今回の剰余Ｑおよび剰余玉数Ｃが出力されると、有誤差金額算出部３５２によって、剰余の合計Ｒが算出され（ステップＳ２０２）、剰余の合計Ｒが基準玉数Ｂ以上であるか否かが判定される（ステップＳ２０３）。
【００６８】
この判定の結果、剰余の合計Ｒが基準玉数Ｂ未満であれば（ステップＳ２０３Ｎｏ）、実施の形態１と同様に、無誤差金額算出部３０７によって、基準金額Ａに商Ｐが乗算され、無誤差金額が算出される（ステップＳ１０７）。また、ここでは調整金額が算出されていないため、有誤差金額算出部３５２によって、玉の税込単価に剰余Ｑが乗算され、有誤差金額が算出される（ステップＳ２０６）。そして、剰余の合計Ｒと新たに算出された有誤差金額とが有誤差金額記憶部３５１に記憶され、会員ＩＤに対応付けられる累積有誤差金額および剰余玉数が更新される。
【００６９】
一方、剰余の合計Ｒが基準玉数Ｂ以上であれば（ステップＳ２０３Ｙｅｓ）、剰余の合計Ｒのうち基準玉数Ｂの分の金額が基準金額Ａとなるように、有誤差金額算出部３５２によって、基準金額Ａから累積有誤差金額が減算されて調整金額が算出される（ステップＳ２０４）。すなわち、例えば基準玉数Ｂが６玉である場合、剰余玉数Ｃが４玉と記憶されていれば、剰余玉数Ｃと今回の剰余Ｑのうち２玉との合計６玉の金額が基準金額Ａとなるように、剰余Ｑに含まれる２玉の金額が調整金額として求められる。この２玉が調整金額に換算されることにより、過去の景品交換時の剰余玉数Ｃと今回の剰余Ｑに含まれる２玉との合計である基準玉数Ｂが基準金額Ａに換算されることになり、過去の景品交換時の丸め誤差の影響を相殺することができる。
【００７０】
そして、今回の剰余Ｑのうち基準玉数Ｂと剰余玉数Ｃとの差分の金額は、上述の調整金額として換算済みであるため、換算金額が未決定の剰余Ｑが改めて算出される。換言すれば、剰余の合計Ｒから換算金額が決定済みの基準玉数Ｂが減算されて、新たに剰余Ｑが求められる（ステップＳ２０５）。その後、無誤差金額は、実施の形態１と同様に無誤差金額算出部３０７によって算出されるが（ステップＳ１０７）、有誤差金額は、玉の税込単価に新たな剰余Ｑを乗算した乗算結果が調整金額に加算されて算出される（ステップＳ２０６）。そして、新たな剰余Ｑとこの剰余Ｑに玉の税込単価が乗算された乗算結果とが有誤差金額記憶部３５１に記憶され、会員ＩＤに対応付けられる累積有誤差金額および剰余玉数が更新される。
【００７１】
具体的に例を挙げると、例えば図６に示した会員ＩＤ「０００１」の遊技客の交換玉数Ｘにおいて、今回の剰余Ｑが３玉と算出された場合、剰余玉数Ｃの４玉と今回の剰余Ｑの３玉とを加算して得られる剰余の合計Ｒが７玉なる。基準玉数Ｂを６玉とすれば、剰余の合計Ｒが基準玉数以上であるため、調整金額が算出されることになる。調整金額は、剰余玉数Ｃの４玉に対応する累積有誤差金額１６．６８円との和が基準金額Ａとなる金額であり、今回の剰余Ｑの３玉のうち、剰余玉数Ｃの４玉では基準玉数Ｂの６玉に満たない分を補充する２玉の金額とされる。ここでは、基準金額Ａを２５円とすれば、今回の剰余Ｑのうちの２玉に相当する調整金額は、８．３２円となる。
【００７２】
また、今回の剰余Ｑのうち残りの１玉については換算金額が未決定であるため、玉の税込単価が乗算されて換算金額が決定される。そして、２玉分の調整金額と１玉分の換算金額との合計が有誤差金額として求められる。
【００７３】
このとき、過去の景品交換時に累積された剰余玉数Ｃと今回の剰余Ｑとの合計が基準玉数Ｂに達するたびに調整金額が求められ、常に基準玉数Ｂが基準金額Ａに換算されることになるため、丸め誤差の影響をさらに低減することができる。
【００７４】
以上のように、本実施の形態によれば、丸め誤差を含む有誤差金額に換算された剰余玉数を会員ＩＤに対応付けて累積記憶しておき、会員ごとの剰余玉数の合計が基準玉数に達するたびに、剰余玉数の合計が基準金額に換算されるようにする。このため、過去の景品交換時に算出された有誤差金額に含まれる丸め誤差が、剰余玉数の合計が基準玉数に達するたびに相殺されることになり、丸め誤差の影響をさらに低減することができる。
【００７５】
なお、本実施の形態においては、景品管理装置３０に有誤差金額記憶部３５１を設けるものとしたが、有誤差金額および剰余玉数は、必ずしも景品管理装置３０に累積記憶する必要は無い。すなわち、例えば会員管理Ｔ／Ｃ１０に会員ごとの有誤差金額および剰余玉数を累積記憶しておき、景品交換時に景品管理装置３０へ読み出すようにすることも可能である。
【産業上の利用可能性】
【００７６】
本発明は、貸出単位金額に対して貸し出される遊技媒体数が調整される場合に、遊技媒体の単価の丸め誤差による影響を低減する際に適用することができる。
【図面の簡単な説明】
【００７７】
【図１】実施の形態１に係る遊技店の概略構成を示す図である。
【図２】実施の形態１に係る景品管理装置の要部構成を示すブロック図である。
【図３】実施の形態１に係る景品管理装置の景品交換時の動作を示すフロー図である。
【図４−１】景品交換時の金額換算の一例を示す図である。
【図４−２】景品交換時の金額換算の他の一例を示す図である。
【図５】実施の形態２に係る景品管理装置の要部構成を示すブロック図である。
【図６】実施の形態２に係る会員ごとの累積有誤差金額の一例を示す図である。
【図７】実施の形態２に係る景品管理装置の金額換算の動作を示すフロー図である。
【符号の説明】
【００７８】
３０１  会員カード受付部
３０２  貯玉数取得部
３０３  通信Ｉ／Ｆ部
３０４  レシート受付部
３０５  演算部
３０６、３５２  有誤差金額算出部
３０７  無誤差金額算出部
３０８  景品交換処理部
３０９  ユーザＩ／Ｆ部
３１０  貯玉処理部
３５１  有誤差金額記憶部
【図１】
2008086433.tif 000003
【図２】
2008086433.tif 000004
【図３】
2008086433.tif 000005
【図４−１】
2008086433.tif 000006
【図４−２】
2008086433.tif 000007
【図５】
2008086433.tif 000008
【図６】
2008086433.tif 000009
【図７】
2008086433.tif 000010